(57)【要約】【課題】ＰＰＰセッション本数を任意に契約して、自分が好きなプロバイダから別のセッションを使用してコンテンツを入手するという、複数の契約したプロバイダなどと同時に１以上のＰＰＰセッション通信が可能となるサービスを提供すること。【解決手段】ユーザの通信端末１が、通信網７を介してＰＰＰセッションにより通信を行なうＰＰＰセッション通信サービスにおいて、該ユーザの通信端末１は、予め該通信網７のサービス提供者と任意の契約により該通信網７の網終端装置７０を介して１以上のＰＰＰセッション確立によるＩＰ通信を行ない、認証後にサーバ２、３、５が配信する各種のコンテンツを該通信端末１が受信し、同時に複数の通信を可能にすることを特徴とする。【選択図】      図１
2004207810.tif 000002
【特許請求の範囲】
【請求項１】
ユーザの通信端末が、通信網を介してＰＰＰセッションにより通信を行なうＰＰＰセッション通信サービス方法において、該ユーザの通信端末は、予め、該通信網のサービス提供者と任意の契約により、該通信網の網終端装置を介して１以上のＰＰＰセッション確立によるＩＰ通信を行ない、認証後にサーバが配信する各種のコンテンツを該通信端末が受信し、同時に複数の通信を可能にすることを特徴とするＰＰＰセッション通信サービス方法。
【請求項２】
ユーザの通信端末が、地域ＩＰ網やＭＰＬＳ網の網終端装置を介して接続されたコンテンツサーバへ、ＰＰＰセッション確立によりＩＰ通信を行ない、該コンテンツサーバが配信する各種のコンテンツを該通信端末が受信するＰＰＰセッション通信サービス方法において、該通信端末は、予め、該ＩＰ網やＭＰＬＳ網のサービス提供者と任意の契約により、該ＩＰ網やＭＰＬＳ網を介して、複数のコンテンツサーバへ１以上のＰＰＰセッションを使って任意のＩＰ通信を確立し、認証後に該複数のコンテンツサーバからコンテンツを入手し、同時に複数の通信を可能にすることを特徴とするＰＰＰセッション通信サービス方法。
【請求項３】
情報を配信する配信サーバが、地域ＩＰ網やＭＰＬＳ網の網終端装置を介して接続された通信端末へＰＰＰセッション確立によりＩＰ通信を行ない、該配信サーバが配信する各種の情報を該通信端末が受信するＰＰＰセッション通信サービス方法において、該配信サーバは、予め、該ＩＰ網やＭＰＬＳ網のサービス提供者と任意の契約により、該ＩＰ網やＭＰＬＳ網を介して、複数の通信端末へ１以上のＰＰＰセッションを使って任意のＩＰ通信を確立し、認証後に該複数の通信端末へ情報を配信し、同時に複数の通信を可能にすることを特徴とするＰＰＰセッション通信サービス方法。
【請求項４】
請求項１または請求項２のいずれかに記載されたＰＰＰセッション通信サービス方法において、前記１以上のＰＰＰセッションを使ったＩＰ通信の確立方法は、ＰＰＰｏＥのセッションを接続するときに任意のセッションＩＤを用いて管理することを特徴とするＰＰＰセッション通信サービス方法。
【請求項５】
請求項２に記載されたＰＰＰセッション通信サービス方法において、該通信端末がコンテンツ配信を要求して該コンテンツサーバから入手したコンテンツの通信品質が悪いときには、該通信端末は、より良質のコンテンツを入手するために別の良好な通信品質のセッションへ接続後に切替えてＩＰ通信を行ない、よりＱｏＳの高い通信により他のコンテンツサーバからコンテンツを入手することを可能にすることを特徴とするＰＰＰセッション通信サービス方法。
【請求項６】
請求項１、請求項２または請求項４のいずれかに記載された通信端末において、複数のコンテンツサーバからのコンテンツを入手するために、同時に１以上のＰＰＰセッションを使ったＩＰ通信を確立する通信機能を予め埋め込むことを特徴とする通信端末。
【請求項７】
請求項３に記載された配信サーバにおいて、複数の通信端末へ各種の情報を配信するために、同時に１以上のＰＰＰセッションを使ったＩＰ通信を確立する通信機能を予め埋め込むことを特徴とする配信サーバ。
【請求項８】
請求項１、請求項２、請求項３、または請求項４のいずれかに記載されたＰＰＰセッション通信サービス方法の手順を前記通信端末または配信サーバに実行させるＰＰＰセッション通信サービス用プログラム。
【請求項９】
請求項８に記載されたＰＰＰセッション通信サービス用プログラムを記録したコンピュータ読み取り可能な記録媒体。
【発明の詳細な説明】
【０００１】
【発明の属する技術分野】
本発明は、複数のコンテンツサーバが配信するコンテンツをユーザの通信端末から入手したり、情報を蓄積するサーバが複数の通信端末へ情報を配信することができ、同時に複数の通信が可能なＰＰＰ（Ｐｏｉｎｔ  ｔｏ  Ｐｏｉｎｔ  Ｐｒｏｔｏｃｏｌ）セッション接続サービスを行うＰＰＰセッション通信サービス方法、通信サーバ、通信端末及びＰＰＰセッション通信サービス用プログラム並びにその記録媒体に関する。
【０００２】
【従来の技術】
従来は、各種のコンテンツをプロバイダからＰＰＰセッション接続により入手する場合、ＰＰＰ接続できるセッション数が限定されたり、他のプロバイダへは一般のインターネットを介して接続する場合があり、スムーズなコンテンツの入手ができなかった。例えば、従来のＩＰ（Ｉｎｔｅｒｎｅｔ  Ｐｒｏｔｏｃｏｌ）通信サービスにおいて、同時に利用できるセッション数は、フレッツＡＤＳＬ（Ａｓｙｍｍｅｔｒｉｃ  Ｄｉｇｉｔａｌ  Ｓｕｂｓｃｒｉｂｅｒ  Ｌｉｎｅ）のときは１つである。
【０００３】
図５により、従来技術の例を説明する。図５の（１）は、１つのプロバイダが配信するコンテンツを入手するときの図で、ユーザの通信端末１は、地域ＩＰ網７の網終端装置９０を介して契約プロバイダの認証Ｂサーバ３０に接続し、認証後、該契約プロバイダが持っている天気予報をコンテンツＢサーバ３より入手するが、他のプロバイダのコンテンツを入手したいときには、認証Ｂサーバ３０からインターネット８を介して、例えば動画をコンテンツＡサーバ２より入手したり、或いはＥコマースをコンテンツＣサーバ４より入手する。この場合、前者のコンテンツＢサーバ３から入手する天気予報の速度は保証されるが、後者のコンテンツＡサーバ２やコンテンツＣサーバ４から入手する動画やＥコマースの速度は保証されない。
【０００４】
また、図５の（２）は、他のプロバイダからコンテンツを入手するときの図で、ユーザの通信端末１は、地域ＩＰ網７の網終端装置９０を介して契約プロバイダの認証Ｂサーバ３０に接続し、認証後、認証Ｂサーバ３０からプロバイダが持っている天気予報をコンテンツＢサーバ３から入手しているときに、別のコンテンツが欲しい場合には、該通信端末１は該天気予報のＰＰＰセッションを網終端装置９０により点線で示すように切替えて、契約プロバイダの認証Ｃサーバ４０が持っているＥコマースをコンテンツＣサーバ４より入手する。該コンテンツＣサーバ４から入手するＥコマースはスムーズに得られるが、前記コンテンツＢサーバ３からの天気予報は点線の矢印で示すようにインターネット８を介して接続しなければならず、逆に保証されなくなり、同時利用できるセッションの数も１つで前記フレッツＡＤＳＬではこのようになる。ちなみに、Ｂフレッツでは４つまでで、関連情報ＵＲＬ：ｈｔｔｐ：／／ｗｗｗ．ｎｔｔ−ｗｅｓｔ．ｃｏ．ｊｐ／ｆｌｅｔｓ／ｆｂａ／ｉｎｄｅｘ＿ｓ．ｈｔｍｌに掲載されている。
【０００５】
【非特許文献１】
“ＦＬＥＴ‘Ｓ  Ｂｒｏａｄ  Ａｖｅｎｕｅ”、［ｏｎｌｉｎｅ］、ＮＴＴ西日本、［平成１４年１２月２０日検索］、インターネット＜ＵＲＬ：ｈｔｔｐ：／／ｗｗｗ．ｎｔｔ−ｗｅｓｔ．ｃｏ．ｊｐ／ｆｌｅｔｓ／ｆｂａ／ｉｎｄｅｘ＿ｓ．ｈｔｍｌ＞
【０００６】
【発明が解決しようとする課題】
しかし、従来の技術によるＰＰＰセッションを用いたＩＰサ−ビスを実現するケースでは、利用できるＰＰＰセッション数はフレッツＡＤＳＬのときは１つで、Ｂフレッツのときでも４つまでで、接続先の対地数に制限があり、今後広帯域のアクセスサービスが増えてＰ−Ｐ（Ｐｏｉｎｔ  ｔｏ  Ｐｏｉｎｔ）時代になり、個人からの動画配信など複数対地に向けた継続的なセッションの接続、負荷分散などを考慮した使い方は多数想定されて、１以上のセッション接続が必要となる。
【０００７】
そこで、本発明の目的は、ＰＰＰセッション本数を任意に契約して、ユーザがコンテンツ配信などでコンテンツを受信しているとき、自分が好きなプロバイダから別のセッションを使用してコンテンツを入手するという、複数の契約したプロバイダなどと同時に、１以上のＰＰＰセッション通信が可能となるＰＰＰセッション通信サービスを提供することにある。
【０００８】
【課題を解決するための手段】
上記目的を達成するため、本発明では、ユーザの通信端末が通信網及び地域ＩＰ網やＭＰＬＳ（Ｍｕｌｔｉｐｒｏｔｏｃｏｌ  Ｌａｂｅｌ  Ｓｗｉｔｃｈｉｎｇ）網を介してＰＰＰセッション確立により通信を行なうＰＰＰセッション通信サービスにおいて、該通信端末は、網サービス提供者と任意の契約で該通信網及び地域ＩＰ網やＭＰＬＳ網の網終端装置を介して１以上のＰＰＰセッション確立による任意のＩＰ通信を行い、認証後に、複数のコンテンツサーバからコンテンツを入手し、同時に複数の通信を可能にすることを特徴とする。
【０００９】
また、前記１以上のＰＰＰセッションを使ったＩＰ通信の確立方法は、複数のＰＰＰｏＥ（Ｐｏｉｎｔ  ｔｏ  Ｐｏｉｎｔ  Ｐｒｏｔｏｃｏｌ  ｏｖｅｒ  Ｅｔｈｅｒｎｅｔ（登録商標））のセッションを接続する時に、任意のセッションＩＤを用いて管理することを特徴とする。
【００１０】
また、配信サーバが地域ＩＰ網やＭＰＬＳ網の網終端装置を介して接続された通信端末へＰＰＰセッション確立によりＩＰ通信を行ない、該配信サーバが配信する各種の情報を該通信端末が受信するＰＰＰセッションサービスにおいて、該配信サーバは、該ＩＰ網やＭＰＬＳ網を介して複数の通信端末へ予め任意に契約した１以上のＰＰＰセッションを使って任意のＩＰ通信を確立し、認証後に、複数の通信端末へ情報の配信をし、同時に複数の通信を可能にすることを特徴とする。
【００１１】
また、該通信端末がコンテンツ配信を要求してコンテンツサーバから入手したコンテンツの品質が悪いときには、該通信端末は、より良質のコンテンツを入手するために別のセッションへ接続後に切替えてＩＰ通信を行ない、よりＱｏＳ（Ｑｕａｌｉｔｙ  ｏｆ  Ｓｅｒｖｉｃｅ）の高い通信により他のコンテンツサーバからのコンテンツが入手可能であることを特徴とする。
【００１２】
また、通信端末は複数のコンテンツサーバからコンテンツを入手するために、配信サーバは複数の通信端末へ各種の情報を配信するために、それぞれ同時に１以上のＰＰＰセッションを使ったＩＰ通信を確立する通信機能を、予め該通信端末および配信サーバへ埋め込むことが可能なことを特徴とする。
【００１３】
また、ＰＰＰセッション通信サービスの方法を実現する該通信端末及び配信サーバへは、ＰＰＰセッション通信サービス用プログラムが記録された記録媒体が搭載されることを特徴としている。
【００１４】
【発明の実施の形態】
図を用いて、本発明の実施の詳細を説明する。
図１は、本発明のコンテンツ配信におけるサービスシステム概要を説明するＰＰＰセッションサービスのシステム概要説明図である。
【００１５】
図１により、コンテンツ配信のときのシステム概要を説明する。
通信端末１は、コンテンツ配信を要求するユーザ端末で、コンテンツＡサーバ２は動画のコンテンツ配信を行なうサーバで、認証Ａサーバ２０はコンテンツＡサーバ２へのアクセスを認証するサーバで、コンテンツＢサーバ３は天気予報のコンテンツ配信を行なうサーバで、認証Ｂサーバ３０はコンテンツＢサーバ３へのアクセスを認証するサーバで、コンテンツＮサーバ５はＥコマースのコンテンツ配信を行なうサーバで、認証Ｃサーバ５０はコンテンツＮサーバ５へのアクセスを認証するサーバである。
【００１６】
また、地域ＩＰ網７は、コンテンツ配信が行なわれるネットワークで、網終端装置７０は、ＰＰＰセッションサービスを契約したユーザの通信端末１が地域ＩＰ網７を介してコンテンツ配信を要求したときには、地域ＩＰ網７からの制御によりセッション毎に任意のセッションＩＤがふられて、該通信端末１とコンテンツを配信する特定サーバとをＰＰＰセッション接続する。
【００１７】
通信端末１は、コンテンツＡサーバ２から動画の配信を受けるため、地域ＩＰ網７へＩＰアドレスを送出し、接続された認証Ａサーバ２０へユーザＩＤ、パスワードを送出すると、該認証Ａサーバ２０での認証後に、網終端装置７０とコンテンツＡサーバ２間にはセッションがはられ、該通信端末１とコンテンツＡサーバ２とはセッションを通して通信可能となり、該地域ＩＰ網７を介してコンテンツＡサーバ２から該通信端末１が動画を入手する。
【００１８】
さらに、１以上の複数セッションをはることが許可されている通信端末１が別のコンテンツサーバから天気予報のコンテンツを入手するために、ＩＰアドレスを送出し、接続された認証Ｂサーバ３０へユーザＩＤ、パスワードを送出すると、該認証Ｂサーバ３０での認証後に、網終端装置７０とコンテンツＡサーバ２間の元のセッションを維持したまま、網終端装置７０とコンテンツＢサーバ３間とはもう一本セッションがはられ、該通信端末１とコンテンツＢサーバ３とはセッションを通して通信可能となり、該地域ＩＰ網７を介してコンテンツＢサーバ３から該通信端末１が天気予報を入手する。
【００１９】
また、前記と同様に別のコンテンツサーバからＥコマースのコンテンツを入手するために、ＩＰアドレスを送出し、接続された認証Ｎサーバ５０へユーザＩＤ、パスワードを送出すると、該認証Ｎサーバ５０での認証後に、網終端装置７０とコンテンツＢサーバ３間の元のセッションを維持したまま、網終端装置７０とコンテンツＮサーバ５間とはもう一本セッションがはられ該通信端末１とコンテンツＮサーバ５とはセッションを通して通信可能となり、該地域ＩＰ網を介して、コンテンツＮサーバ５から該通信端末１がＥコマースを入手する。
【００２０】
このように、地域ＩＰ網７のサービス提供会社と予め契約した１以上のＰＰＰセッションを使って、任意ＩＰ通信を確立し、複数のコンテンツサーバからコンテンツを入手し、複数の同時の通信が可能となる。
【００２１】
従って、セッションを使って接続したプロバイダの持っているコンテンツサーバに有るコンテンツに限っては、帯域を確保された通信が行なえる。但し、一本のセッションをはることしか許可されていないユーザの場合は、利用している今のセッションを切断して前記で説明した手順に従い、新しいセッションをはり、また、複数のセッションをはることが許可されているユーザであっても、許可された該複数セッションを超えて、セッションをはる場合には、やはり前記一本の場合と同様に維持している元のセッションを一本切断することになる。また、通信端末１は、入手したコンテンツの品質が悪かった場合には、より良質のコンテンツを入手するために、別の良好な通信品質のセッションへ接続後に切替えて、よりＱｏＳの高い通信により、他のコンテンツサーバからコンテンツを入手することも可能である。
【００２２】
また、該通信端末１は、ＰＰＰセッション通信サービスとして複数のコンテンツサーバからのコンテンツを入手するために、同時に１以上のＰＰＰセッションを使ったＩＰ通信を確立する、後述の図３で説明する各ステップを実現する通信機能のＰＰＰセッション通信用プログラムを、該通信端末１に具備されたメモリ格納エリアの記録媒体に格納している。
【００２３】
図２は、本発明の情報配信におけるサービスシステム概要を説明するＰＰＰセッションサービスのシステム概要説明図である。
次に、図２により、情報配信のときのシステム概要を説明する。
本店サーバ６は、配信業者により本店からの情報を、複数の異なるプロバイダと契約したユーザである各支店からの配信要求に対して蓄積する情報を配信するサーバで、Ａ支店通信端末６１は、プロバイダＡと契約して本店からの情報配信を受信する端末で、認証Ａサーバ２０は、本店サーバ６へアクセスするＡ支店通信端末６１を認証するサーバで、Ｂ支店通信端末６２は、プロバイダＢと契約して本店からの情報配信を受信する端末で、認証Ｂサーバ３０は、本店サーバ６へアクセスするＢ支店通信端末６２を認証するサーバで、Ｎ支店通信端末６３は、プロバイダＮと契約して本店からの情報配信を受信する端末で、認証Ｎサーバ５０は、本店サーバ６へアクセスするＮ支店通信端末６３を認証するサーバである。
【００２４】
また、地域ＩＰ網７は、情報配信が行なわれるネットワークで、網終端装置７０は、ＰＰＰセッションサービスを契約した各支店の通信端末が、地域ＩＰ網７を介して、本店からの情報配信を要求したときには、認証サーバによる認証後に、該地域ＩＰ網７からの制御でセッションＩＤをふって、例えばＡ支店通信端末６１と情報を配信する本店サーバ６とをＰＰＰセッション接続する。
【００２５】
Ａ支店通信端末６１は、本店サーバ６から情報配信を受けるため、地域ＩＰ網７へＩＰアドレスを送出し、接続された認証サーバ２０へユーザＩＤ、パスワードを送出すると、該認証サーバ２０での認証後に、網終端装置７０とＡ支店通信端末６１間にはセッションがはられ、該Ａ支店通信端末６１と本店サーバ６とはセッションを通して通信可能となり、地域ＩＰ網７を介して、該本店サーバ６から情報を入手する。
【００２６】
さらに、別のＢ支店通信端末６２が本店サーバ６から情報配信を受けるために、前記Ａ支店通信端末６１のときと同様に、ＩＰアドレス、ユーザＩＤ、パスワードを送出すると、認証後に、網終端装置７０とＢ支店通信端末６２間にはセッションがはられ、該Ｂ支店通信端末６２と本店サーバ６とはセッションを通して通信可能となり、該Ｂ支店通信端末６２は地域ＩＰ網７を介して、該本店サーバ６から情報を入手する。
【００２７】
さらに、別のＮ支店通信端末６３が本店サーバ６から情報配信を受けるために、前記Ａ支店通信端末６１の時と同様に、ＩＰアドレス、ユーザＩＤ、パスワードを送出すると、認証後に、網終端装置７０とＮ支店通信端末６３間にはセッションがはられ、該Ｎ支店通信端末６３と本店サーバ６とはセッションを通して通信可能となり、該Ｎ支店通信端末６３は地域ＩＰ網７を介して、該本店サーバ６から情報を入手する。
【００２８】
このように、地域ＩＰ網７のサービス提供会社と予め契約した１以上のＰＰＰセッションを使って任意ＩＰ通信を確立し、本店サーバ６から各支店へ各種の情報を配信する複数の同時通信が可能となる。
【００２９】
また、本店サーバ６は、ＰＰＰセッション通信サービスとして、複数の支店へ情報配信するために、同時に１以上のＰＰＰセッションを使ったＩＰ通信を確立する、後述の図４で説明する各ステップを実現する通信機能のＰＰＰセッション通信用プログラムを、該本店サーバ８に具備されたメモリ格納エリアの記録媒体に格納している。また、図１及び図２において、前記１以上のＰＰＰセッションを使ったＩＰ通信の確立方法は、複数のＰＰＰｏＥのセッションを接続する時に、任意のセッションＩＤを用いて管理している。
【００３０】
図３は、コンテンツサーバから通信端末へのコンテンツ配信におけるＰＰＰセッションサービスの処理フロー図である。
次に、図３により、通信端末からのコンテンツ配信のセッションサービス処理を説明する。
ユーザの通信端末１は、ＰＰＰセッション接続によるコンテンツ配信を受けるため、地域ＩＰ網７を通して、例えば認証Ａサーバ２０へアクセスすると、認証後に、地域ＩＰ網７からセッション使用に対する料金契約の問合せがあり（Ｓ１）、固定料金の契約か（Ｓ２）、或いは従量課金か（Ｓ３）のどちらかの契約かを通信端末１から応答すると、該通信端末１とコンテンツＡサーバ２とはセッションを通して通信可能となり、該通信端末１はコンテンツＡサーバ２からコンテンツを入手し表示する（Ｓ４）。
【００３１】
通信端末１のユーザは、表示しているコンテンツを必要により他のコンテンツへ代えるかどうかを判断し（Ｓ５）、代えないときにはコンテンツ配信を終了とし（Ｓ１４）、代えるときには、該通信端末１から例えばコンテンツＢサーバ３のアドレスを入力して別のコンテンツ配信を要求する（Ｓ６）と、認証Ｂサーバ３０による認証後に、地域ＩＰ網７では契約セッション数が２以上かを判定し（Ｓ７）、契約セッション数が１のときには利用中の今のセッションを切断して新しいセッションに切り替えて（Ｓ８）、通信端末１の指定したコンテンツＢサーバ３のコンテンツが配信し表示され（Ｓ１１）、契約セッション数が２以上の時には利用中の元のセッションを維持する（Ｓ９）。
【００３２】
それと共に、最大契約セッション数以下かどうかを判定し（Ｓ１０）、最大契約セッション数以下の時には通信端末１が指定したコンテンツＢサーバ３のコンテンツが配信し表示される（Ｓ１１）が、最大契約セッション数を超える時には維持しているセッションの内の一本が切断されて、指定したコンテンツＢサーバ３のコンテンツが通信端末１へ配信し表示される（Ｓ１２）。ユーザは通信端末１へのコンテンツの配信を終了するかどうかを判断し（Ｓ１３）、さらに他のコンテンツ配信を要求するときには前記他のコンテンツへ代えるかどうかを判断するステップ（Ｓ５）へ戻る処理となり、他のコンテンツ配信が不要なときには終了（Ｓ１４）となる。
【００３３】
図４は、配信サーバから通信端末への情報配信におけるＰＰＰセッションサービスの処理フロー図である。
次に、図４により、配信サーバからの情報配信のセッションサービス処理を説明する。
Ａ支店通信端末６１は本店サーバ６からＰＰＰセッション接続による情報配信を受けるため、地域ＩＰ網７を通して、例えばプロバイダの認証Ａサーバ２０へアクセスすると、認証後に、地域ＩＰ網７からセッション使用に対する料金契約の問合せがあり（Ｓ２１）、固定料金の契約か（Ｓ２２）、或いは従量料金か（Ｓ２３）のどちらかの契約かをＡ支店通信端末６１から応答すると、該Ａ支店通信端末６１と本店サーバ６とはセッションを通して通信可能となり、該Ａ支店通信端末６１は本店サーバ６から情報を入手し表示する（Ｓ２４）。
【００３４】
他の支店の通信端末から情報の配信要求があるかどうかを判定し（Ｓ２５）、配信要求がないときには終了とし（Ｓ３３）、例えばＢ支店通信端末６２からの配信要求があるときには、該Ｂ支店通信端末６２は本店サーバ６からＰＰＰセッション接続による情報配信を受けるため、地域ＩＰ網７を通して、例えばプロバイダの認証Ｂサーバ３０へアクセスすると、認証後に、地域ＩＰ網７からセッション使用に対する料金契約の問合せがあり（Ｓ２６）、固定料金の契約か（Ｓ２７）、或いは従量料金か（Ｓ２８）のどちらかの契約かをＢ支店通信端末６２から応答する。
【００３５】
そして地域ＩＰ網では最大契約セッション数以下であるかを判定し（Ｓ２９）、最大契約セッション数を超えるときには該Ｂ支店通信端末６２は本店サーバへ接続が不可となり（Ｓ３１）、最大契約セッション数を超えない時にはＢ支店通信端末６２へ情報が配信され表示される（Ｓ３０）。支店の通信端末からの情報の配信要求を終了するかどうかの判定で（Ｓ３２）、さらに他の支店からの配信要求を行なうときには前記他の支店から情報の配信要求があるかどうかを判断するステップ（Ｓ２５）へ戻る処理となり、他の支店からの配信要求が無いときには終了（Ｓ３３）となる。
【００３６】
本発明のＰＰＰセッション通信サービスは利用するユーザが予め地域ＩＰ網７のサービス提供者との契約が必要であり、該ユーザは、固定料金で契約した場合は、ＰＰＰセッション一本につきいくらという契約方法で、従量課金で契約した場合は、同時使用セッション数が複数ｎであるときには、その時間中の一本あたりの課金料金のｎ倍という契約方法で、該サービス提供者へ支払いを行ない、該地域ＩＰ網７以外の通信網に対しても同様な契約方法である。
【００３７】
上述の実施形態において、その処理を行うプログラムをアプリケーションソフトとして、ＣＤ−ＲＯＭ等の記録媒体に格納しておいてもよい。このようにすれば、ＣＤ−ＲＯＭ等の可搬型記録媒体にプログラム等を格納して売買したり、携帯することができるようになる。
【００３８】
【発明の効果】
以上、詳細に説明したように、本発明によれば、予め任意の契約により１以上の複数のＰＰＰセッションを使って任意のＩＰ通信を確立することで、コンテンツ配信を要求する通信端末が複数のコンテンツサーバからコンテンツを入手するという同時に複数の通信が可能である。
また、プロバイダを介した複数の通信端末が、情報配信するサーバが蓄積する様々な情報を入手するという同時に複数の通信が可能である。
今後、広帯域のアクセスサービスが増えて個人からの動画配信など複数対地に向けた継続的なセッションの接続要求に対して対応が可能となる。
さらに欲しいコンテンツを直近のサーバからセッションを直接はってもらい、その他のコンテンツはインターネット経由でも良いという個人レベルでの優先順位づけが可能となる。
【００３９】
また、良質のコンテンツを入手するために、良質な通信品質のセッションへ切替えて、ＱｏＳの高い通信によりコンテンツ入手が可能となる。情報配信の配信業者が各地にミラーサーバを置いて情報を配置する場合や、複数支店との同時オンライン接続する場合には、複数のＰＰＰセッションが必要となり、本発明のようなＰＰＰセッションを使った使い方が多数想定される。また、ＰＰＰセッション通信サービスを利用するユーザは、予め通信網のサービス提供者との契約により、ＰＰＰセッション一本につきいくらという契約方法の固定料金とするか、或いは同時使用セッション数が複数ｎであるときには、その時間中の一本あたりの基金料金のｎ倍という契約方法の従量課金とするか、該ユーザが選択でき、該ＰＰＰセッション通信サービスを利用するときには、利用形態に適した利用料金の契約方法が可能となり、以上のような新しい通信サービスが可能となる。
【図面の簡単な説明】
【図１】本発明のコンテンツ配信におけるＰＰＰセッションサービスのシステム概要説明図である。
【図２】本発明の情報配信におけるＰＰＰセッションサービスのシステム概要説明図である。
【図３】本発明のコンテンツサーバから通信端末へのコンテンツ配信におけるＰＰＰセッションサービスの処理フロー図である。
【図４】本発明の配信サーバから通信端末への情報配信におけるＰＰＰセッションサービスの処理フロー図である。
【図５】コンテンツ配信で従来技術によりコンテンツ入手するときの説明図である。
【符号の説明】
１  通信端末
２  コンテンツＡサーバ
３  コンテンツＢサーバ
４  コンテンツＣサーバ
５  コンテンツＮサーバ
６  本店サーバ
７  地域ＩＰ網
８  インターネット
２０  認証Ａサーバ
３０  認証Ｂサーバ
４０  認証Ｃサーバ
５０  認証Ｎサーバ
６１  Ａ支店通信端末
６２  Ｂ支店通信端末
６３  Ｎ支店通信端末
７０、９０  網終端装置
【図１】
2004207810.tif 000003
【図２】
2004207810.tif 000004
【図３】
2004207810.tif 000005
【図４】
2004207810.tif 000006
【図５】
2004207810.tif 000007